(57)【要約】【課題】送風性能の低下を最小限に抑えつつ、壁やカーテンの脱臭まで行う空気調和機の構成を提供すること。【解決手段】ペルチエ素子を有して、冷却面に結露した水を、放電によってクラスターにして空気中に放出させる水クラスター発生装置５を空気調和機に搭載する際、送風回路内に配するのを放熱フィン１０のみとし、水クラスターを発生させる放電部を空気調和機正面に露出するように配置する。【選択図】図１
2006170465.tif 000002
【特許請求の範囲】
【請求項１】
熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、この水クラスター発生装置の放熱フィンのみを前記送風回路の吹出口内に配し、前記ペルチエ素子冷却面および、放電部が本体前面部に現れていることを特徴とする空気調和機。
【請求項２】
リアガイダの吹出口に配された放熱フィンがリアガイダの吹出口における傾斜と一致していることを特徴とする請求項１に記載の空気調和機。
【請求項３】
放熱フィンを取り囲むように、格子状のカバーを有することを特徴とした請求項１または２に記載の空気調和機。
【請求項４】
カバーの格子が吹出方向からの投影面が放熱フィンと一致するように形成されていることを特徴とする請求項３に記載の空気調和機。
【請求項５】
カバーの吹出口中央側の壁が吹出方向の上流から下流に向かって、漸次広がっていることを特徴とする請求項１から４のいずれか１項に記載の空気調和機。
【請求項６】
カバーの吹出口中央側の壁が下部から上部に向かって、漸次吹出口の外側に向かって傾斜していることを特徴とする請求項５に記載の空気調和機。
【請求項７】
放電部に配された針状の電極が水平より上向きの角度を成していることを特徴とする請求項１から請求項６のいずれか１項に記載の空気調和機。
【発明の詳細な説明】
【技術分野】
【０００１】
本発明は、水のクラスターを室内に放出することで、壁やカーテンの脱臭を行う、空気調和機に関する。
【背景技術】
【０００２】
近年の空気調和機は冷房や暖房を行うに留まらず、室内空気の質向上を図るべく、浮遊塵埃やアレルゲンの除去、脱臭、抗菌などの各種機能が付与されている。これらの手段としては、図１１の従来例に示すように、空気吸入口１に各種のフィルタ１３を設けて濾し採るあるいは吸着するといった方式のものが発明されている。なお、２は熱交換器、３は送風機、４は吹出口である（例えば、特許文献１参照）。
【特許文献１】特開平８−２２４４１３号公報
【発明の開示】
【発明が解決しようとする課題】
【０００３】
しかしながら、前記従来の構成では、フィルタ１３の汚損が進行すると通風抵抗が増加して、送風性能が低下して、冷暖房時のエネルギー消費を増大させ、且つ、サージング（断続的異常音）が発生し易くなるばかでなく、適宜、清掃・手入れを行わないと塵埃や臭いがフィルタ１３に堆積するためにかえって逆効果となる可能性があるという課題を有していた。
【０００４】
また、上記のような方式で脱臭を行う場合、室内空気中の臭い成分は比較的速やかに除去されるが、室内の壁やカーテン等に付着している臭い成分までは除去できず、室内には臭いが残ってしまうという課題があった。
【０００５】
本発明は、前記従来の課題を解決するもので、安全性が高く、室内の壁やカーテン等に付着している臭い成分まで除去できる機能を有しながら、送風性能の低下を少なくすることのできる空気調和機を提供することを目的とする。
【課題を解決するための手段】
【０００６】
前記従来の課題を解決するために、本発明の空気調和機は、熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、この水クラスター発生装置の放熱フィンのみを前記送風回路の吹出口内に配し、前記ペルチエ素子冷却面および、放電部を本体前面部に露出させたものである。
【０００７】
これによって、脱臭効果が高い水クラスターを、空気調和機の吹出し風に乗せて室内に拡散させることにより、室内の壁やカーテン等に付着している臭い成分まで除去できる上に、放出成分が水であるために、高い安全性が確保されるものである。また、送風回路内には放熱フィンのみを配する構成であるため送風性能の低下を最小限に抑えることができる。
【発明の効果】
【０００８】
本発明は、安全性が高く、室内の壁やカーテン等に付着している臭い成分まで除去できる機能を有しながら、送風性能の低下を最小限に抑えることのできる空気調和機を提供することができる。
【発明を実施するための最良の形態】
【０００９】
第１の発明は、熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、この水クラスター発生装置の放熱フィンのみを前記送風回路の吹出口内に配し、前記ペルチエ素子冷却面および、放電部が本体前面部に露出するように配することで、送風回路における通風抵抗を放熱フィンのみにすることにより、送風性能の低下を最小限に抑えることができる。
【００１０】
第２の発明は、第１の発明の放熱フィンのみを前記送風回路の吹出口内に配し、そのフィンを吹き出し方向と平行にすることにより、送風回路内における通風抵抗を小さくし、送風性能の低下を最小限に抑えることができる。
【００１１】
第３の発明は、第１および第２の発明の放熱フィンを取り囲むように、格子状のカバーを配することにより、放電部と放熱フィンの間の絶縁体を減らすことができ、水クラスター発生装置の性能向上、入力電圧の低減、さらにはペルチェ素子の冷却効率を高めることができる。
【００１２】
第４の発明は、第３の発明のカバーの格子が吹き出し方向からの投影面が放熱フィンと一致するように形成されていることにより、通風抵抗を小さくし、送風性能の低下を最小限に抑えることができる。
【００１３】
第５の発明は、第３および、第４の発明のカバーの吹き出し口中央側の壁が吹き出し方向の上流から下流に向かって、漸次広がって形成されており、静圧を高めることにより、フィルタに埃等が蓄積し、通風抵抗が増加した際に生じ易くなるサージングを抑えることができる。
【００１４】
第６の発明は、特に、第３、第４および第５の発明のカバーの吹き出し中央側の壁が下部から上部に向かって傾斜しており、整流効果によって、フィルタ１３に埃等が蓄積し、通風抵抗が増加した際に生じ易くなるサージングを抑えることができる。
【００１５】
第７の発明は、水クラスター発生装置の放電部に配された針状の電極が水平より上向きの角度を成していることにより、ペルチェ素子の冷却面に結露した水が、針の先端まで流れ、水滴が溜まることにより、放電の妨げとなることを防ぐことができる。
【００１６】
（実施の形態１）
図１は、本発明の第１の実施の形態における空気調和機室内機の縦断面図、図２は同正面図で、図３は、水クラスター発生装置の正面図および上面図であり、図４は水クラスターによる脱臭効果を示す特性図である。
【００１７】
図１、２において、吸入口１から熱交換器２、送風機３を通って吹出口４に至る送風回路があり、吹出口４の内部に水クラスター発生装置５が配置されている。水クラスター発生装置５は放熱フィン１０のみを前記送風回路の吹出口４内に配し、放電部１１が本体前面部に露出するよう配する。
【００１８】
図３において、水クラスター発生装置５にはペルチエ素子６があり、その冷却面７に接して冷却面８、放熱面９と絶縁体１４を介して接するように放熱フィン１０を固定する。また、冷却面上と、その上部には針状の電極１１ａ、円盤状の電極１１ｂからなる電極部１１を設け、この両電極間に高電圧を印加する。
【００１９】
また、水クラスター発生装置５の冷却面８を通過する風量を絞り、冷却面８の温度を下げるために、制御版１２を設ける。
【００２０】
以上のように構成された空気調和機室内機について、以下その動作、作用を説明する。
【００２１】
図４に示す通り、この水クラスターは反応性が高く、臭い成分に作用して無臭成分に分解する能力を持っており、カーテン生地にタバコ臭を付着させ、２時間後に、水クラスター放出の有無による臭気減衰の差を官能試験（６段階臭気表示法）にて評価した結果で、図４の通り、自然減衰の場合に比べ明らかに効果が見られる。
【００２２】
このような高い脱臭機能を有する水クラスター発生装置５を有しながら、送風回路における通風抵抗を放熱フィン１０のみにすることにより、送風性能の低下を最小限に抑えることができる。
【００２３】
（実施の形態２）
図５は、本発明の第２の実施の形態における空気調和機に取り付けられる水クラスター発生装置の正面図および上面図である。
【００２４】
以下の説明において、実施の形態１の説明と重複する水クラスター発生装置５の構成、脱臭効果とそのメカニズムに関する説明は省略する。
【００２５】
図１において、前記実施の形態１記載の放熱フィン１０のみを前記送風回路の吹出口４内に配し、放熱フィン１０の傾きが吹出口４におけるリアガイダの傾きと同一角度となるように構成されている。
【００２６】
以上のように構成された空気調和機室内機について、以下その動作、作用を説明する。
【００２７】
高い脱臭機能を有する水クラスター発生装置５を有しながら、前記放熱フィン１０の傾きと吹出口４におけるリアガイダ傾きが同一角度であることにより、投影面積を減らし、通風抵抗を低減することにより、送風性能の低下を最小限に抑えることができる。
【００２８】
（実施の形態３）
図６は、本発明の第３の実施の形態における空気調和機に取り付けられる水クラスター発生装置の正面図および上面図である。
【００２９】
以下の説明において、実施の形態１、２の説明と重複する説明は省略する。
【００３０】
図６において、前記実施の形態１および２記載の放熱フィン１０を取り囲むように、格子状のカバー１２を配している。
【００３１】
以上のように構成された空気調和機室内機について、以下その動作、作用を説明する。
【００３２】
放熱フィン１０を格子状のカバー１２で取り囲むことにより、放熱フィン１０に触れる危険性を無くすことにより、放電部１１と放熱フィン１０の間の絶縁体１４を減らすことができる。これにより、水クラスター発生装置５の性能向上、入力電圧の低減、さらにはペルチェ素子６の冷却効率を高めることができる。
【００３３】
（実施の形態４）
図７は、本発明の第４の実施の形態における空気調和機に取り付けられる水クラスター発生装置の正面図および上面図である。
【００３４】
図７において、実施の形態３記載のカバー１２の格子が吹き出し方向からの投影面が放熱フィン１０と一致するように形成されている。
【００３５】
以上のように構成された空気調和機室内機について、以下その動作、作用を説明する。
【００３６】
カバー１２の格子の吹出し方向からの投影面が放熱フィン１０と一致するように形成されていることにより、通風抵抗を低減し、送風性能の低下を最小限に抑えることができる。
【００３７】
（実施の形態５）
図８は、本発明の第５の実施の形態における空気調和機に取り付けられる水クラスター発生装置の正面図および上面図である。
【００３８】
図８において、実施の形態３および実施の形態４記載のカバーの吹出口４口中央側の壁が吹き出し方向の上流から下流に向かって、漸次広がって形成されている。
【００３９】
以上のように構成された空気調和機室内機について、以下その動作、作用を説明する。
【００４０】
カバーの吹出口４中央側の壁が吹き出し方向の上流から下流に向かって、漸次広がっていることにより、静圧を高めることができ、フィルタ１３に埃等が蓄積し、通風抵抗が増加した際に生じ易くなるサージングを抑えることができる。
【００４１】
（実施の形態６）
図９は、本発明の第６の実施の形態における空気調和機に取り付けられる水クラスター発生装置の正面図および上面図である。
【００４２】
図９において、実施の形態３、４および５記載のカバー１２の吹出口４中央側の壁が下部から上部に向かって傾斜した形状を成している。
【００４３】
以上のように構成された空気調和機室内機について、以下その動作、作用を説明する。
【００４４】
カバー１２の吹出口４中央側の壁が下部から上部に向かって傾斜した形状を成していることにより、吹出口４下部、すなわちリアガイダ近傍の流速の早い部分の静圧を高めることができ、また、整流効果によって、フィルタ１３に埃等が蓄積し、通風抵抗が増加した際に生じ易くなるサージングを抑えることができる。
【００４５】
（実施の形態７）
図１０は、本発明の第７の実施の形態における空気調和機に取り付けられる水クラスター発生装置の正面図および上面図である。
【００４６】
図１０において、実施の形態１〜６記載の水クラスター発生装置５の放電部１１に配された針状の電極１１ａが水平より上向きの角度を成している。
【００４７】
以上のように構成された空気調和機室内機について、以下その動作、作用を説明する。
【００４８】
ペルチェ素子６の冷却面７に結露した水の量が増えると、針状の電極１１ａを伝って先端に水滴の玉が生じ、放電を妨げることとなる。針状の電極１１ａを水平より上向きの角度にすることによって、先端での水滴の発生を防ぐことが出来る。
【産業上の利用可能性】
【００４９】
以上のように、本発明にかかる空気調和機は、脱臭効果が高い水クラスターイオンを安全に室内拡散しつつ、その配置による通風抵抗を抑え、送風性能の低下を最小限にすることにより、空気清浄機、加湿機、除湿機等の用途にも適用できる。
【図面の簡単な説明】
【００５０】
【図１】本発明の実施の形態１における空気調和機室内機の縦断面図
【図２】本発明の実施の形態１における同正面図
【図３】本発明の実施の形態１における空気調和機に取り付けられる水クラスター発生装置の正面図および上面図
【図４】本発明の実施の形態１における脱臭効果を示す特性図
【図５】本発明の実施の形態２における空気調和機に取り付けられる水クラスター発生装置の正面図および上面図
【図６】本発明の実施の形態３における空気調和機に取り付けられる水クラスター発生装置の正面図および上面図
【図７】本発明の実施の形態４における空気調和機に取り付けられる水クラスター発生装置の正面図および上面図
【図８】本発明の実施の形態５における空気調和機に取り付けられる水クラスター発生装置の正面図および上面図
【図９】本発明の実施の形態６における空気調和機に取り付けられる水クラスター発生装置の正面図および上面図
【図１０】本発明の実施の形態７における空気調和機に取り付けられる水クラスター発生装置の正面図および上面図
【図１１】従来の空気調和機の断面図
【符号の説明】
【００５１】
１  吸入口
２  熱交換器
３  送風機
４  吹出口
５  水クラスター発生装置
６  ペルチエ素子
７  ペルチエ素子冷却面
８  冷却面
９  ペルチエ素子放熱面
１０  放熱フィン
１１ａ  円盤状の電極
１１ｂ  針状の電極
１２  カバー
１３  フィルタ
１４  絶縁体
【図１】
2006170465.tif 000003
【図２】
2006170465.tif 000004
【図３】
2006170465.tif 000005
【図４】
2006170465.tif 000006
【図５】
2006170465.tif 000007
【図６】
2006170465.tif 000008
【図７】
2006170465.tif 000009
【図８】
2006170465.tif 000010
【図９】
2006170465.tif 000011
【図１０】
2006170465.tif 000012
【図１１】
2006170465.tif 000013